(57)【要約】【課題】係員が駐車場に配置されていなくとも、駐車場を利用する利用者が車両を特定の駐車区域に駐車できるようにする。【解決手段】制御装置５は、ナンバープレート７上にＩＣチップ８が取付けられている車両６が駐車場Ｐに入場しようとするときに、ＩＣチップ８から乗員データや車両データが電波信号により受信され、当該車両６に乗車している乗員が障害者である旨や当該車両６が車椅子を積載している旨を認識すると、該当する車両６を障害者用の駐車区域へ誘導する。駐車場Ｐを利用する利用者は、障害者手帳などを係員に提示することなく、車両６が障害者用の駐車区域へ誘導されることにより、車両６を障害者用の駐車区域に駐車することができる。【選択図】　図１
2004046515.tif 000002
【特許請求の範囲】
【請求項１】
駐車場内に駐車する車両を特定の駐車区域へ誘導する駐車車両誘導システムであって、
車両側に配設され、当該車両に乗車している乗員に関する乗員データや当該車両に関する車両データを記録するデータ記録手段と、
駐車場内に駐車する車両から前記データ記録手段に記録されている乗員データや車両データを電波信号により受信するデータ受信手段と、
車両から前記データ受信手段により受信された乗員データや車両データに基づいて当該車両に乗車している乗員の特徴や当該車両の特徴を認識して駐車場内における駐車区域を決定する駐車区域決定手段と、
該当する車両を前記駐車区域決定手段により決定された駐車区域へ誘導する駐車車両誘導手段とを備えたことを特徴とする駐車車両誘導システム。
【請求項２】
請求項１に記載した駐車車両誘導システムにおいて、
前記駐車区域決定手段は、該当する車両に乗車している乗員が障害者である旨を認識したときに、駐車場内における障害者用の駐車区域を該当する車両の駐車区域として決定することを特徴とする駐車車両誘導システム。
【請求項３】
請求項１に記載した駐車車両誘導システムにおいて、
前記駐車区域決定手段は、該当する車両が車椅子などの障害者が使用する器具を積載している旨を認識したときに、駐車場内における障害者用の駐車区域を該当する車両の駐車区域として決定することを特徴とする駐車車両誘導システム。
【請求項４】
請求項２または３に記載した駐車車両誘導システムにおいて、
前記駐車区域決定手段が駐車場内における障害者用の駐車区域を該当する車両の駐車区域として決定し、前記駐車車両誘導手段が該当する車両を前記駐車区域決定手段により決定された駐車場内における障害者用の駐車区域へ誘導するときに、車両が駐車場内における障害者用の駐車区域へ誘導される旨を表す誘導情報を報知する誘導情報報知手段を備えたことを特徴とする駐車車両誘導システム。
【請求項５】
請求項１ないし４のいずれかに記載した駐車車両誘導システムにおいて、
該当する車両が前記駐車区域決定手段により決定された駐車区域へ進入する旨を許可すると共に、該当する車両以外の車両が前記駐車区域決定手段により決定された駐車区域へ進入する旨を禁止する進入制御手段を備えたことを特徴とする駐車車両誘導システム。
【請求項６】
請求項１ないし５のいずれかに記載した駐車車両誘導システムにおいて、
該当する車両以外の車両が前記駐車区域決定手段により決定された駐車区域へ進入したときに、警告を発動する警告発動手段を備えたことを特徴とする駐車車両誘導システム。
【請求項７】
請求項１ないし６のいずれかに記載した駐車料金徴収システムにおいて、
前記データ記録手段は、ナンバープレート上に取付可能で登録番号や用途などの車検証データが記録されているＩＣチップから構成されていることを特徴とする駐車料金徴収システム。
【発明の詳細な説明】
【０００１】
【発明の属する技術分野】
本発明は、駐車場内に駐車する車両を特定の駐車区域へ誘導する駐車車両誘導システムに関する。
【０００２】
【発明が解決しようとする課題】
近年、例えばテーマパークやスーパーマーケットなどの施設の駐車場においては、障害者の負担を軽減すべく、建物の出入口に近い駐車区域などが障害者用の駐車区域として用意されている場合がある。そして、この場合、係員が駐車場に配置されていれば、乗員は、自分や同乗者が障害者である旨が記載されている障害者手帳などを係員に提示し、係員は、乗員から提示された障害者手帳などを確認した上で、該当する車両を障害者用の駐車区域へ誘導するようになっている。
【０００３】
しかしながら、係員が配置されていない駐車場では、駐車場を利用する利用者にとっては、障害者が乗車している車両が障害者用の駐車区域へ誘導されることがなく、乗員が自ら障害者用の駐車区域を探さなければならない。また、駐車場を経営する経営者にとっては、障害者が乗車している車両を障害者用の駐車区域へ誘導するためにのみ係員を配置することは、経営上の点から回避したいという要望がある。
【０００４】
本発明は、上記した事情に鑑みてなされたものであり、その目的は、係員が駐車場に配置されていなくとも、駐車場を利用する利用者が車両を特定の駐車区域に駐車することができ、それによって、駐車場を利用する利用者が駐車場を利用する際の利便性を高めることができ、また、駐車場を経営する経営者が効率的な経営を行うことができる駐車車両誘導システムを提供することにある。
【０００５】
【課題を解決するための手段】
請求項１に記載した駐車車両誘導システムによれば、駐車場内に駐車する車両からデータ記録手段に記録されている当該車両に乗車している乗員に関する乗員データや当該車両に関する車両データが電波信号により受信データ受信手段により受信されると、駐車区域決定手段は、データ受信手段により受信された乗員データや車両データに基づいて当該車両に乗車している乗員の特徴や当該車両の特徴を認識して駐車場内における駐車区域を決定し、駐車車両誘導手段は、該当する車両を駐車区域決定手段により決定された駐車区域へ誘導する。
【０００６】
このように、車両に乗車している乗員に関する乗員データや車両に関する車両データが車両に記録されていると、車両から乗員データや車両データが電波信号により送信され、車両から送信された乗員データや車両データが電波信号により受信されることにより、当該車両に乗車している乗員の特徴や当該車両の特徴が認識され、駐車場内における駐車区域が決定され、該当する車両が当該決定された駐車区域へ誘導される。
【０００７】
したがって、従来のものとは異なって、駐車場を利用する利用者にとっては、車両が特定の駐車区域へ誘導されるのに必要な証明書類を係員に提示する必要がないので、係員が駐車場に配置されていなくとも、車両が当該決定された駐車区域へ誘導されることにより、車両を特定の駐車区域に駐車することができ、これにより、駐車場を利用する際の利便性を高めることができる。また、駐車場を経営する経営者にとっては、車両を特定の駐車区域へ誘導するためにのみ係員を配置する必要がないので、効率的な経営を行うことができる。
【０００８】
請求項２に記載した駐車車両誘導システムによれば、駐車区域決定手段は、該当する車両に乗車している乗員が障害者である旨を認識すると、駐車場内における障害者用の駐車区域を該当する車両の駐車区域として決定するので、乗員は、自分や同乗者が障害者である旨が記載されている障害者手帳を係員に提示しなくとも、障害者用の駐車区域へ誘導されることにより、車両を障害者用の駐車区域に駐車することができる。
【０００９】
請求項３に記載した駐車車両誘導システムによれば、駐車区域決定手段は、該当する車両が車椅子などの障害者が使用する器具を積載している旨を認識すると、駐車場内における障害者用の駐車区域を該当する車両の駐車区域として決定するので、乗員は、車椅子などの障害者が使用する器具を積載している旨を係員に証明しなくとも、障害者用の駐車区域へ誘導されることにより、車両を障害者用の駐車区域に駐車することができる。
【００１０】
請求項４に記載した駐車車両誘導システムによれば、駐車区域決定手段が駐車場内における障害者用の駐車区域を該当する車両の駐車区域として決定し、駐車車両誘導手段が該当する車両を駐車区域決定手段により決定された駐車場内における障害者用の駐車区域へ誘導すると、誘導情報報知手段は、車両が駐車場内における障害者用の駐車区域へ誘導される旨を表す誘導情報を報知するので、乗員は、誘導情報が報知されることにより、車両が駐車場内における障害者用の駐車区域へ誘導される旨を確認することができる。
【００１１】
請求項５に記載した駐車車両誘導システムによれば、進入制御手段は、該当する車両が駐車区域決定手段により決定された駐車区域へ進入する旨を許可すると共に、該当する車両以外の車両が駐車区域決定手段により決定された駐車区域へ進入する旨を禁止するので、例えば障害者が乗車している車両を確実に該当する駐車区域へ誘導することができ、その一方で、障害者が乗車していない車両が該当する駐車区域へ進入することを未然に回避することができる。
【００１２】
請求項６に記載した駐車車両誘導システムによれば、警告発動手段は、該当する車両以外の車両が駐車区域決定手段により決定された駐車区域へ進入すると、警告を発動するので、障害者が乗車していない車両が該当する駐車区域へ進入したとしても、警告することができる。
【００１３】
請求項７に記載した駐車車両誘導システムによれば、データ記録手段は、ナンバープレート上に取付可能で登録番号や用途などの車検証データが記録されているＩＣチップから構成されているので、本来は車検証データを記録するためのＩＣチップの空いている記録領域に、当該車両に乗車している乗員に関する乗員データや当該車両に関する車両データを記録することにより、既存のＩＣチップを有効に利用することができる。
【００１４】
【発明の実施の形態】
以下、本発明の一実施例について、図面を参照して説明する。尚、ここでは、駐車料金が徴収されない無料駐車場に適用した場合を説明する。
まず、図１は、駐車車両誘導システム１における設備を概略的に示している。駐車場Ｐの入場ゲートには、通信装置２（本発明でいうデータ受信手段）、表示機３（本発明でいう誘導情報報知手段）、入場ゲート開閉装置４が設置されていると共に、これら各装置や機器を制御する制御装置５（本発明でいう駐車区域決定手段、駐車車両誘導手段）が設置されている。
【００１５】
駐車場Ｐに駐車する車両６には、図２にも示すように、後方側のナンバープレート７上にＩＣ（Ｉｎｔｅｇｒａｔｅｄ　Ｃｉｒｃｕｉｔ）チップ８（本発明でいうデータ記録手段）が取付けられているものがある。この場合、ＩＣチップ８は、図３に示すように、「標板関連情報」として「登録番号」、「用途」、「自家用・事業用の別」が車検証データとして記録されていると共に、「車両の諸元情報」として「自動車の種別」、「車体の形状」、「型式」、「最大積載量」などが車検証データとして記録されている。
【００１６】
これに加えて、ＩＣチップ８には、本発明の特徴である「特記情報」として「障害者」の種別が乗員データとして記録されている共に、「車椅子積載車」の種別が車両データとして記録されている。ここで、「障害者」の種別は、例えば「障害者○級」という表記により区分され、障害の程度を表しており、また、「車椅子積載車」の種別は、車椅子を積載しているときに例えば「車椅子積載有」と表記され、車椅子を積載しているか否かを表している。
【００１７】
尚、本実施例では、車両６の後方側のナンバープレート７上にＩＣチップ８が取付けられている場合を示しているが、車両６の前方側のナンバープレート９上にＩＣチップ８が取付けられている構成であっても良く、また、双方のナンバープレート７、９上にＩＣチップ８が取付けられている構成であっても良い。
【００１８】
駐車車両誘導システム１において、通信装置２は、図２に示すように、例えば垂直に設置されているポール２ａに取付けられているアンテナ２ｂから電波を放射することにより、入場ゲートに通信エリア（図１および図３で破線Ａにて示すエリア）を形成している。
【００１９】
そして、通信装置２は、駐車場Ｐへ入場しようとする車両６が入場ゲートに形成された通信エリア内へ進入し、当該車両６のナンバープレート７上にＩＣチップ８が取付けられていると、ＩＣチップ８から当該ＩＣチップ８に記録されている車検証データ、乗員データおよび車両データを電波信号により受信して制御装置５に出力する。尚、この場合、通信装置２とＩＣチップ８との間で行われる通信方式は、例えばＤＳＲＣ（Ｄｅｄｉｃａｔｅｄ　Ｓｈｏｒｔ　Ｒａｎｇｅ　Ｃｏｍｍｕｎｉｃａｔｉｏｎ）を採用した通信方式である。また、この場合、駐車場Ｐが地下駐車場であれば、アンテナ２ｂが天井に配設されている構成であっても良い。
【００２０】
表示機３は、制御装置５から表示指令が入力されると、車両６が誘導されるときには、車両６が誘導される旨を表す表示メッセージ（本発明でいう誘導情報）を表示することにより、駐車場Ｐへ入場しようとする車両６の乗員に対して車両６が誘導される旨を報知する。
【００２１】
入場ゲート開閉装置５は、例えば水平方向に静止されているバー５ａを垂直方向へ一時的に回動することにより、入場ゲートを開放し、車両６が駐車場Ｐへ入場する旨を許可すると共に、バー５ａを水平方向に保持することにより、入場ゲートを閉鎖し、車両６が駐車場Ｐへ入場する旨を禁止する。
【００２２】
さて、駐車場Ｐについて説明する。駐車場Ｐは、複数台の車両６が整列して駐車可能となるように１台あたりの駐車区域が区画化されて用意されている。そして、複数の駐車区域のうちの建物Ｑの出入口に近い場所に位置している幾つか（図１では左側に位置している３区画）の駐車区域は、障害者用の駐車区域として用意されている。これら障害者用の駐車区域には、障害者マークのペイントが地面に施されており、また、図４に示すように、車両６が駐車しているか否かを検出するための例えば近接センサからなる駐車検出センサ１０が地面に埋設されていると共に、先端部にランプ１１が取付けられてなる「Ｌ」字型のポール１２が配設されている。
【００２３】
駐車検出センサ１０およびランプ１１は、それぞれ例えば地面に埋設されているケーブル（図示せず）を介して制御装置５に接続されている。駐車検出センサ１０は、自己が埋設されている障害者用の駐車区域に車両６が駐車しているときには、検出通知を制御装置５に出力し、制御装置５は、駐車検出センサ１０から検出通知が入力されることにより、車両６が障害者用の駐車区域に駐車している旨を認識する。また、制御装置５は、点灯指令をランプ１１に出力し、ランプ１１は、制御装置５から点灯指令が入力されることにより、点灯する。
【００２４】
次に、上記した構成の作用について、図５ないし図９を参照して説明する。ここで、図５は、車両６が駐車場Ｐへ入場しようとするときに制御装置５が行う処理をフローチャートとして示している。
【００２５】
制御装置５は、通信装置２から車検証データ、乗員データおよび車両データが入力される旨を待機している（ステップＳ１）。
さて、ここで、ナンバープレート７上にＩＣチップ８が取付けられている車両６が駐車場Ｐへ入場しようとする場合を考える。通信装置２は、上記したように、ナンバープレート７上にＩＣチップ８が取付けられている車両６が通信エリア内へ進入すると、ＩＣチップ８から当該ＩＣチップ８に記録されている車検証データ、乗員データおよび車両データを電波信号により受信して制御装置５に出力する。
【００２６】
制御装置５は、通信装置２から車検証データ、乗員データおよび車両データが入力されると（ステップＳ１にて「ＹＥＳ」）、駐車場Ｐへ入場しようとする車両６が存在している旨を認識し、乗員データや車両データに有効な情報が格納されているか否かを判定する（ステップＳ２）。
【００２７】
ここで、制御装置５は、乗員データや車両データに有効な情報が格納されていると（ステップＳ２にて「ＹＥＳ」）、障害者用の駐車区域を該当する車両の駐車区域として決定する（ステップＳ３）。そして、制御装置５は、駐車検出センサ１０から検出通知が入力されているか否かを判定することにより、他の車両６が駐車していない障害者用の駐車区域が存在しているか否か、つまり、該当する車両６が駐車可能な障害者用の駐車区域が存在しているか否かを判定する（ステップＳ４）。
【００２８】
そして、制御装置５は、該当する車両６が駐車可能な障害者用の駐車区域が存在していると（ステップＳ４にて「ＹＥＳ」）、点灯指令を該当する障害者用の駐車区域に配設されているランプ１１に出力することにより、ランプ１１を点灯させる（ステップＳ５）。
【００２９】
具体的に説明すると、制御装置５は、車両６が駐車場Ｐへ入場しようとしており、当該車両６のナンバープレート７上のＩＣチップ８に記録されている乗員データに「障害者３級」という有効な情報が格納されているときや、車両データに「車椅子積載有」という有効な情報が格納されているときに、該当する車両６が駐車可能な障害者用の駐車区域が存在していると、当該障害者用の駐車区域に配設されているランプ１１を点灯させる。
【００３０】
次いで、制御装置５は、表示指令を表示機３に出力することにより、図６に示すように、例えば「障害者用の駐車区域へ誘導します。ランプが点灯している駐車区域へ進入して下さい。」という車両６を誘導する旨を表す表示メッセージを表示機３により表示する（ステップＳ６）。そして、制御装置５は、入場ゲート開放指令を入場ゲート開閉装置５に出力することにより、入場ゲートを開放させ、車両６が駐車場Ｐへ入場する旨を許可する（ステップＳ７）。
【００３１】
これに対して、制御装置５は、該当する車両６が駐車可能な障害者用の駐車区域が存在していないと（ステップＳ４にて「ＮＯ」）、表示指令を表示機３に出力することにより、図７に示すように、例えば「障害者用の駐車区域が空いていません。他の駐車区域を利用して下さい。」という障害者用の駐車区域が空いていない旨を表す表示メッセージを表示機３により表示する（ステップＳ８）。
【００３２】
そして、制御装置５は、入場ゲート開放指令を入場ゲート開閉装置５に出力することにより、入場ゲートを開放させ、車両６が駐車場Ｐへ入場する旨を許可する（ステップＳ９）。
【００３３】
このように、ナンバープレート７上にＩＣチップ８が取付けられている車両６が駐車場Ｐへ入場しようとするときに、乗員データや車両データに有効な情報が格納されており、該当する車両６が駐車可能な障害者用の駐車区域が存在していると、制御装置５は、該当する車両を障害者用の駐車区域へ誘導することになる。尚、制御装置５は、駐車場Ｐが営業している間は、上記した処理を繰返して行う。
【００３４】
ところで、ナンバープレート７上にＩＣチップ８が取付けられていない車両６が駐車場Ｐへ入場しようとする場合には、制御装置５は、上記したような処理を行うことはなく、例えば入場ゲート開閉装置４の近傍に配設されている近接センサからなる入場検出センサ（図示せず）により、駐車場Ｐへ入場しようとする車両６が存在している旨を認識した後に、車両６が駐車場Ｐへ入場する旨を許可することになる。
【００３５】
また、以上は、ナンバープレート７上にＩＣチップ８が取付けられている車両６が駐車場Ｐへ入場しようとするときに、通信装置２がＩＣチップ８に記録されている車検証データ、乗員データおよび車両データを電波信号により受信して制御装置５に出力する場合を説明したものであるが、通信装置２が必ずしも車検証データを電波信号により受信する必要はなく、つまり、通信装置２が少なくとも乗員データや車両データを電波信号により受信する構成であれば良い。
【００３６】
また、図８に示すように、障害者用の駐車区域に駐車ゲート開閉装置１３（本発明でいう進入制限手段）を設置し、乗員データや車両データに有効な情報が格納されているときに、制御装置５が開放指令を駐車ゲート開閉装置１３に出力することにより、該当する車両６が障害者用の駐車区域に駐車する旨を許可すると共に、それ以外のときに、他の車両６が障害者用の駐車区域に駐車する旨を禁止するように構成することも可能である。
【００３７】
さらに、図９に示すように、障害者用の駐車区域にスピーカ１４（本発明でいう警告発動手段）を設置し、他の車両６が障害者用の駐車区域に駐車したときに、制御装置５が警告発動指令をスピーカ１４に出力することにより、スピーカ１４が例えば「ここは障害者用の駐車区域です。直ちに移動して下さい。」という警告を発動するように構成することも可能である。
【００３８】
以上に説明したように本実施例によれば、駐車車両誘導システム１において、制御装置５は、ナンバープレート７上にＩＣチップ８が取付けられている車両６が駐車場Ｐへ入場しようとするときに、ＩＣチップ８から乗員データや車両データが電波信号により受信され、当該車両６に乗車している乗員が障害者である旨や当該車両６が車椅子を積載している旨を認識すると、該当する車両６を障害者用の駐車区域へ誘導するように構成した。
【００３９】
したがって、駐車場Ｐを利用する利用者にとっては、自分や同乗者が障害者である旨が記載されている障害者手帳などを係員に提示する必要がないので、係員が駐車場Ｐに配置されていなくとも、車両６が障害者用の駐車区域へ誘導されることにより、車両６を障害者用の駐車区域に駐車することができ、これにより、駐車場Ｐを利用する際の利便性を高めることができる。また、駐車場Ｐを経営する経営者にとっては、車両６を障害者用の駐車区域へ誘導するためにのみ係員を配置する必要がないので、効率的な経営を行うことができる。
【００４０】
また、この場合、表示機３は、制御装置５が車両６を障害者用の駐車区域へ誘導するように決定すると、車両６が障害者用の駐車区域へ誘導される旨を表す表示メッセージを表示するように構成したので、乗員は、表示メッセージが表示されることにより、車両６が障害者用の駐車区域へ誘導される旨を確認することができる。
【００４１】
さらに、この場合、車両６のナンバープレート７上に取付けられているＩＣチップ８に、車両６に乗車している乗員が障害者である旨を表す乗員データや車両６が車椅子を積載している旨を表す車両データを記録するように構成したので、本来は車検証データを記録するためのＩＣチップ８の空いている記録領域に、乗員データや車両データを記録することにより、既存のＩＣチップ８を有効に利用することができる。
【００４２】
本発明は、上記した実施例にのみ限定されるものではなく、以下のように変形または拡張することができる。
駐車料金が徴収される有料駐車場に適用する構成であっても良い。
車両を障害者用の駐車区域へ誘導する方法としては、ランプを点灯させる構成に限らず、例えば「○○ブロックが障害者用の駐車区域です。」というように障害者用の駐車区域の位置を報知する構成であっても良く、また、障害者用の駐車区域までに至る経路を報知する構成であっても良い。
【００４３】
表示メッセージを表示機に表示して報知する構成に限らず、音声合成装置を設置することにより、音声メッセージを音声合成装置から合成された音声を出力して報知する構成であっても良い。
データ記録手段は、ナンバープレート上に取付けられているＩＣチップに限らず、専用に用意された記録媒体であっても良い。
【図面の簡単な説明】
【図１】本発明の一実施例を概略的に示す図
【図２】通信装置とＩＣチップとの間で行われる通信形態の一例を示す図
【図３】ＩＣチップに記録されているデータの一例を示す図
【図４】障害者用の駐車区域の構成を概略的に示す図
【図５】制御装置が行う処理の内容を示すフローチャート
【図６】車両を障害者用の駐車区域へ誘導するときの表示メッセージの一例を示す図
【図７】車両を障害者用の駐車区域へ誘導しないときの表示メッセージの一例を示す図
【図８】図４相当図
【図９】図４相当図
【符号の説明】
図面中、１は駐車車両誘導システム、２は通信装置（データ受信手段）、３は表示機（誘導情報報知手段）、５は制御装置（駐車区域決定手段、駐車車両誘導手段）、６は車両、７はナンバープレート、８はＩＣチップ（データ記録手段）、１３は駐車ゲート開閉装置（進入制限手段）、１４はスピーカ（警告発動手段）である。
【図１】
2004046515.tif 000003
【図２】
2004046515.tif 000004
【図３】
2004046515.tif 000005
【図４】
2004046515.tif 000006
【図５】
2004046515.tif 000007
【図６】
2004046515.tif 000008
【図７】
2004046515.tif 000009
【図８】
2004046515.tif 000010
【図９】
2004046515.tif 000011